(57)【要約】【目的】本発明は、１ファイルマルチポータルの実現や各種解析レポートの提供、そしてホームページ上アンケートを活用した視聴ユーザ情報の提供等を実現することを目的としている。【構成】このため、映像配信管理手段とユーザ属性収集手段と視聴ログ解析手段とを有し、映像配信管理手段に連絡するプロモーションコンテンツ提供手段を設け、ユーザ属性収集手段に接続する視聴ユーザ用接続手段を設け、視聴ユーザ用接続手段からの接続操作があった際に、映像配信ログを視聴ログ解析手段に転送して視聴ユーザ用接続手段のログ解析を行い、接続操作後にアンケート回答が入力された際に、アンケートデータをユーザ属性収集手段に転送し、ユーザ属性データを視聴ログ解析手段に転送し、視聴ユーザ用接続手段のログ解析データとユーザ属性データをマッチングさせて所定のマーケティングデータを生成する。【選択図】　　　　図１
2004070483.tif 000002
【特許請求の範囲】
【請求項１】
映像配信管理手段とユーザ属性収集手段と視聴ログ解析手段とを有する映像配信手段を設け、この映像配信手段の映像配信管理手段に連絡するプロモーションコンテンツ提供手段を設け、前記映像配信手段のユーザ属性収集手段にインターネットのプロモーションコンテンツ掲載手段を介して接続する複数の視聴ユーザ用接続手段を設け、前記視聴ユーザ用接続手段からプロモーションコンテンツ掲載手段への接続操作があった際に、映像配信ログを前記視聴ログ解析手段に転送してコンテンツ毎に視聴ユーザ用接続手段のログ解析を行い、前記視聴ユーザ用接続手段からプロモーションコンテンツ掲載手段への接続操作後に視聴ユーザ用接続手段からプロモーションコンテンツ掲載手段にアンケート回答が入力された際には、アンケートデータを前記ユーザ属性収集手段に転送し、ユーザ属性データを前記映像配信手段の視聴ログ解析手段に転送し、コンテンツ毎に行った視聴ユーザ用接続手段のログ解析データとユーザ属性データとをマッチングさせて所定のマーケティングデータを生成することを特徴とするマーケティング対応映像配信システム。
【発明の詳細な説明】
【０００１】
【発明の属する技術分野】
この発明はマーケティング対応映像配信システムに係り、特にマーケティング対応ストリーミング映像配信サービスにおける１ファイルマルチポータルの実現やマーケティングに利用できる各種解析レポートの提供、そしてホームページ上でのアンケートを活用した視聴ユーザ情報の提供等を実現できるマーケティング対応映像配信システムに関する。
【０００２】
【従来の技術】
現在、コンピュータの普及及びインターネットのブロードバンド化に伴い、映像配信技術、つまりストリーミング映像配信技術が普及している。このストリーミング映像配信技術においては、動画映像をインターネットで映像配信できるとともに、ユーザはＰＣを使ってオンデマンドでもＬｉｖｅでも動画映像を日常的に楽しめるものである。
【０００３】
また、映像コンテンツのプロモーション等にストリーミング映像配信技術が活用されている。すなわち、映画の予告編やビデオ発売の予告等をホームページ上で行い、サンプル映像をストリーミング映像で提供している。
【０００４】
そして、プロードバンドポータルサイトではプロモーションビデオ等は目玉のコンテンツとして取り上げられている。
【０００５】
【発明が解決しようとする課題】
ところで、従来のストリーミング映像配信システムにおいて、マーケティングやプロモーションに特化したストリーミング映像配信サービスは存在しない。
【０００６】
しかし、以下の如き従来の技術がある。
１）ストリーミング映像配信サービス
主な事業者：インターネットサービスプロバイダー等
２）ストリーミングログ解析サービス
主な事業者：ストリーミング映像配信サービスを行なっているインターネットサービスプロバイダ等
３）インターネットアンケートサービス
主な事業者：インターネットマーケティングサービス会社、ＷＥＢシステム開発会社
【０００７】
また、ポータルサイトにプロモーションコンテンツを提供しても、正確な効果測定が行えず、マーケティングに活用できない、というプロモーションコンテンツを提供する側の問題点がある。なお、「プロモーションコンテンツ」とは、ポータルサイト等で無料で視聴させることを前提とした動画映像のことをいう。
【０００８】
ここで、問題点に関して詳述すると、以下の事柄となる。
ａ）効果測定に用いられるログ解析の手法がポータルサイト毎によって異なる。
ｂ）プロモーション効果を測定するための具体的な手法、サービスがポータルサイト側から提供されていない。
ｃ）ストリーミング映像配信結果からマーケティング活動に結びつける手段が確立されていない。
【０００９】
更に、プロモーションコンテンツ提供側のニーズを、参考までに羅列する。
１）プロモーションを行うにあたって効率的かつ効果的なストリーミング映像配信サービスが求められている。
（１）１ファイルマルチポータルの実現
▲１▼　プロモーションコンテンツのサーバへの登録は１回のみ。
▲２▼　一つのプロモーションコンテンツファイルを複数のポータルサイトで共有
▲３▼　ポータルサイトが違っても共通の効果測定結果が得られる。
２）ストリーミング映像配信結果を定量的に解析できマーケティング活動に活用できるサービス。
（１）ユーザ属性毎の視聴傾向のレポート
（２）コンテンツ毎の視聴傾向のレポート
（３）　ポータル（掲載ＷＥＢサイト）毎の視聴傾向のレポート
【００１０】
しかし、運用開始後やシステム増強という点から着眼した場合に、次のような課題が考えられる。
課題１：大容量のログデータを効率的に格納し、取り出せる技術の開発
課題２：柔軟性が高いレポート生成機能の開発
課題３：映像配信帯域制御技術の開発
【００１１】
この発明は、上述した課題１〜３を解消し、マーケティング対応ストリーミング映像配信サービスにおける
ア）１ファイルマルチポータルの実現
イ）マーケティングに利用できる各種解析レポートの提供
ウ）ホームページ上でのアンケートを活用した視聴ユーザ情報の提供
等を実現し、プロモーションの効果測定を前提としたストリーミング映像配信サービスなので、プロモーションコンテンツを一度登録するだけで、ストリーミング映像配信サーバでの映像配信からログ解析、マーケティングデータの生成をワンストップで行えるとともに、プロモーションコンテンツの登録等は全て専用ＷＥＢ管理画面により簡単に行え、しかも映像配信結果から得られるマーケティングデータ等も専用ＷＥＢ管理画面より簡単に入手できるという優位性を確保するものである。
【００１２】
また、上述した課題１〜３を解消する方策について、参考までに列記する。
「課題１」の場合
（１）中間解析データをデータベースに格納し解析速度を向上させる。
（２）生ログをユニークなＩＤのファイル名でハードディスクに保管しデータベースで管理する。
「課題２」の場合
（１）専用のレポート生成クライアントアプリケーションを作成し、サーバ上のデータベースと通信を行いレポート生成を行う。
（２）クライアントアプリケーションからエクセルやワードを起動し自動的にレポートを生成する。
「課題３」の場合
（１）ストリーミングサーバのサービスコンポーネントにアクセスしサービス帯域をオーバーするプロモーションコンテンツをリアルタイムに検出し該当するメタファイル情報を動的に制御する。
【００１３】
【課題を解決するための手段】
そこで、この発明は、上述の不都合を除去するために、映像配信管理手段とユーザ属性収集手段と視聴ログ解析手段とを有する映像配信手段を設け、この映像配信手段の映像配信管理手段に連絡するプロモーションコンテンツ提供手段を設け、前記映像配信手段のユーザ属性収集手段にインターネットのプロモーションコンテンツ掲載手段を介して接続する複数の視聴ユーザ用接続手段を設け、前記視聴ユーザ用接続手段からプロモーションコンテンツ掲載手段への接続操作があった際に、映像配信ログを前記視聴ログ解析手段に転送してコンテンツ毎に視聴ユーザ用接続手段のログ解析を行い、前記視聴ユーザ用接続手段からプロモーションコンテンツ掲載手段への接続操作後に視聴ユーザ用接続手段からプロモーションコンテンツ掲載手段にアンケート回答が入力された際には、アンケートデータを前記ユーザ属性収集手段に転送し、ユーザ属性データを前記映像配信手段の視聴ログ解析手段に転送し、コンテンツ毎に行った視聴ユーザ用接続手段のログ解析データとユーザ属性データとをマッチングさせて所定のマーケティングデータを生成することを特徴とする。
【００１４】
【発明の実施の形態】
この発明は、視聴ユーザ用接続手段からプロモーションコンテンツ掲載手段への接続操作があった際に、映像配信ログを視聴ログ解析手段に転送してコンテンツ毎に視聴ユーザ用接続手段のログ解析を行い、視聴ユーザ用接続手段からプロモーションコンテンツ掲載手段への接続操作後に視聴ユーザ用接続手段からプロモーションコンテンツ掲載手段にアンケート回答が入力された際には、アンケートデータをユーザ属性収集手段に転送し、ユーザ属性データを映像配信手段の視聴ログ解析手段に転送し、コンテンツ毎に行った視聴ユーザ用接続手段のログ解析データとユーザ属性データとをマッチングさせて所定のマーケティングデータを生成し、マーケティング対応映像配信サービスにおける１ファイルマルチポータルの実現やマーケティングに利用できる各種解析レポートの提供、そしてホームページ上でのアンケートを活用した視聴ユーザ情報の提供等を実現している。
【００１５】
【実施例】
以下図面に基づいてこの発明の実施例を詳細且つ具体的に説明する。
【００１６】
図１〜図３は、この発明の実施例を示すものである。図１において、２はマーケティング対応映像配信システム（以下「マーケティング対応ストリーミング映像配信システム」というである。
【００１７】
このマーケティング対応ストリーミング映像配信システム２は、マーケティング対応の映像配信手段であるストリーミング映像配信手段４と、複数のプロモーションコンテンツ提供手段６と、複数の視聴ユーザ用接続手段８とを有している。
【００１８】
そして、前記ストリーミング映像配信手段４は、映像配信管理手段であるストリーミング映像配信管理手段１０とユーザ属性収集手段１２と視聴ログ解析手段１４とからなる。
【００１９】
ストリーミング映像配信管理手段１０は、コンテンツ管理サーバ１６と、このコンテンツ管理サーバ１６に連絡するコンテンツデータベース（「ＤＢ」ともいう）１８と、このコンテンツデータベース１８に連絡するメディアファイルストレージ２０と、このメディアファイルストレージ２０に連絡する映像配信サーバであるストリーミング映像配信サーバ２２とを有する。
【００２０】
また、前記ユーザ属性収集手段１２は、アンケート用ＷＷＷサーバ２４と、このアンケート用ＷＷＷサーバ２４に連絡するアンケート管理データベース２６とを有する。
【００２１】
更に、前記視聴ログ解析手段１４は、視聴ログ解析サーバ２８と、この視聴ログ解析サーバ２８に連絡するログファイルストレージ３０と、このログファイルストレージ３０に連絡する視聴ログ解析データベース３２と、この視聴ログ解析データベース３２に連絡するユーザ属性データベース３４とを有する。
【００２２】
前記プロモーションコンテンツ提供手段６は、プロモーションコンテンツを提供できる企業からなり、マーケティング対応のストリーミング映像配信手段４のストリーミング映像配信管理手段１０のコンテンツ管理サーバ１６に接続される。
【００２３】
また、前記視聴ユーザ用接続手段８は、視聴ユーザの操作するパーソナルコンピュータや携帯電話等の通信機器からなり、インターネット、つまり複数のプロモーションコンテンツ掲載手段３６を介して前記マーケティング対応のストリーミング映像配信手段４に接続される。
【００２４】
すなわち、前記プロモーションコンテンツ掲載手段３６は、プロモーションコンテンツ掲載用のウェブ（「ＷＥＢ」ともいう）サイトからなり、ＷＷＷサーバ３８と、このＷＷＷサーバ３８によって表示されるウェブページ４０とを有する。
【００２５】
このとき、前記プロモーションコンテンツ掲載手段３６のＷＷＷサーバ３８は、マーケティング対応のストリーミング映像配信手段４のストリーミング映像配信管理手段１０のコンテンツ管理サーバ１６に接続され、コンテンツ管理サーバ１６からプロモーションコンテンツの新着情報の転送を受け、プロモーションコンテンツ掲載手段３６のＷＷＷサーバ３８のプロモーションコンテンツのデータ更新を行うものである。
【００２６】
また、視聴ユーザ用接続手段８からの接続操作によって、視聴ユーザからストリーミング映像配信の要求があれば、ストリーミング映像配信管理手段１０のストリーミング映像配信サーバ２２が対応してプロモーションコンテンツ掲載手段３６のウェブページ４０にストリーミング映像配信を行い、かつ映像配信ログを前記視聴ログ解析手段１４の視聴ログ解析サーバ２８に転送し、コンテンツ毎に視聴ユーザ用接続手段のログ解析を行うものである。
【００２７】
更に、前記視聴ユーザ用接続手段８からプロモーションコンテンツ掲載手段３６への接続操作後に、視聴ユーザ用接続手段８からプロモーションコンテンツ掲載手段３６のウェブページ４０中に作成したアンケートページ４２にアンケート回答が入力された際には、アンケートデータを前記ユーザ属性収集手段１２のアンケート用ＷＷＷサーバ２４に転送し、ユーザ属性データをマーケティング対応の前記ストリーミング映像配信手段４の視聴ログ解析手段１４の視聴ログ解析サーバ２８に転送し、コンテンツ毎に行った視聴ユーザ用接続手段８のログ解析データとユーザ属性データとをマッチングさせて所定のマーケティングデータを生成するものである。
【００２８】
すなわち、前記マーケティング対応ストリーミング映像配信システム２は、図１に示す如き、以下の項目を処理可能としている。
ａ．プロモーションコンテンツの登録
ｂ．プロモーションコンテンツの新着情報の転送（メタ情報等）
ｃ．ＷＥＢページにプロモーションコンテンツのＵＰＤＡＴＥ
ｄ．アンケートへの入力
ｅ．アンケートデータをユーザ属性収集システムに転送
ｆ．ユーザ属性データを視聴ログ解析サーバに転送
ｇ．掲載ＷＥＢサイトからのストリーミング再生リクエストに対応
ｈ．映像配信ログを視聴サーバに転送
ｉ．レポート解析操作
ｊ．解析処理
【００２９】
このため、前記マーケティング対応ストリーミング映像配信システム２には、以下の機能が付加されることとなる。
１）掲載ＷＥＢサイト管理機能
（１）掲載ＷＥＢサイト登録管理
▲１▼　複数の掲載ＷＥＢサイト。
（２）コンテンツ条件設定
▲１▼　掲載ＷＥＢサイト毎に表示できるプロモーションコンテンツの条件を指定させる。
２）プロモーションコンテンツ管理系機能
（１）コンテンツ管理
▲１▼　メディアファイル管理
▲２▼　メタ情報管理
（２）視聴率解析
▲１▼　サイト別解析
▲２▼　プロモーションコンテンツ別解析
▲３▼　ユーザカテゴリ別解析
３）ストリーミング映像配信機能
（１）プロモーションコンテンツ映像配信機能
（２）プロモーションコンテンツ転送機能
【００３０】
また、前記視聴ログ解析手段１４の機能について詳述すると、図２に示す如く、視聴ログ解析手段１４の解析手順としては、複数のストリーミング映像配信サーバ２２からログ（「サーバログファイル」ともいう）４４を受け取り、コンテンツ毎にログを切り分け、マスタログデータベース４６に格納する。この格納時に、ストリーミング映像配信管理手段１０のコンテンツ管理サーバ１６のコンテンツデータベース４８や視聴ログ解析手段１４のユーザ属性データベースからユーザ属性のマッチングを行い、属性提供を付加する。
【００３１】
そして、コンテンツ毎に設定した解析ルールに従って中間解析を行い、中間解析用データベース５０にデータを格納し、コンテンツ映像配信システムのレポート作成機能から発行される解析処理を行い、解析結果をレポーティングデータベース５２に格納し、解析時間の短縮を行う。
【００３２】
前記視聴ログ解析手段１４の特徴を羅列する。
１）コンテンツ毎の視聴時間の詳細な解析が出来る。
（１）指定時刻の視聴状況がわかる
▲１▼　年、月、日、時、分、秒を指定し、その時間のユーザ数、利用回線帯域まで解析できる。
（２）視聴時間の解析が出来る。
▲１▼　全リクエストにおける視聴時間の分布解析
▲２▼　時間帯別の視聴時間の分布解析
（３）視聴ユーザの属性分布を解析できる
▲１▼　ユーザ属性収集システムを利用しユーザの属性（性別、年齢等）を収集しそのデータと視聴ログとのマッチングが行える。
２）ユーザ属性の嗜好コンテンツ解析
（１）ユーザ属性によりカテゴリを作成し視聴されるプロモーションコンテンツを分析
（２）ユーザ属性をベースに全コンテンツの視聴状況を分析
【００３３】
更に、前記ユーザ属性収集手段１２の機能について詳述する。先ず、ユーザ属性収集手段１２のフロー解説を行うと、ユーザ属性収集手段１２は以下の手順によって行われる。
１）アンケート項目への入力
２）アンケート情報をデータベースに格納
３）映像の再生と再生結果の入力（成功、失敗）
４）所定の再生ソフトのガイドと所得とアンケート情報との関連付け
【００３４】
つまり、図３に示す如く、前記視聴ユーザ用接続手段８からプロモーションコンテンツ掲載手段３６への接続操作後に、視聴ユーザによってアンケートページ４２のアンケート項目への入力（処理▲１▼）が行われると、このアンケート情報がデータベース、つまりユーザ属性収集手段１２のアンケート管理データベース３４に格納（処理▲２▼）され、映像の再生と再生結果の入力（成功、失敗）（処理▲３▼）の後、所定の再生ソフトのガイドと所得とアンケート情報との関連付け（処理▲４▼）が行われるものである。
【００３５】
そして、前記ユーザ属性収集手段１２の主な特徴を羅列する。
１）プロモーションコンテンツを掲載するＷＥＢサイト毎にアンケートを行える。
２）一度アンケートにユーザが答えたら、本ストリーミング映像配信管理システムを使っている別のＷＥＢサイトを視聴してもその視聴履歴を解析できる。
３）アンケート項目の追加や変更が可能。メーリングリスト等との連動も可能。
【００３６】
次に、この実施例の作用を説明する。
【００３７】
前記マーケティング対応ストリーミング映像配信システム２における処理フローについて説明すると、図１に示す如く、プロモーションコンテンツ提供手段６からマーケティング対応のストリーミング映像配信手段４のコンテンツ管理サーバ１６にプロモーションコンテンツの登録（処理ａ）が行われると、このコンテンツ管理サーバ１６から前記プロモーションコンテンツ掲載手段３６のＷＷＷサーバ３８にプロモーションコンテンツのメタ情報等の新着情報を転送（処理ｂ）する。
【００３８】
そして、前記プロモーションコンテンツ掲載手段３６において、ＷＷＷサーバ３８がウェブページ４０にプロモーションコンテンツのアップデート、つまりデータ更新（処理ｃ）を行う。
【００３９】
また、前記視聴ユーザ用接続手段８からプロモーションコンテンツ掲載手段３６への接続操作後に、視聴ユーザ用接続手段８からプロモーションコンテンツ掲載手段３６のウェブページ４０中に作成したアンケートページ４２にアンケート回答が入力（処理ｄ）された際には、アンケートデータを前記ユーザ属性収集手段１２のアンケート用ＷＷＷサーバ２４に転送（処理ｅ）し、ユーザ属性データをマーケティング対応の前記ストリーミング映像配信手段４の視聴ログ解析手段１４の視聴ログ解析サーバ２８に転送（処理ｆ）する。
【００４０】
更に、掲載ＷＥＢサイトからのストリーミング再生リクエストに対応（処理ｇ）する場合には、視聴ユーザ用接続手段８からの接続操作によって、視聴ユーザからストリーミング映像配信の要求があった際に、ストリーミング映像配信管理手段１０のストリーミング映像配信サーバ２２が対応してプロモーションコンテンツ掲載手段３６のウェブページ４０にストリーミング映像配信を行うとともに、映像配信ログを前記視聴ログ解析手段１４の視聴ログ解析サーバ２８に転送（処理ｈ）する。
【００４１】
そして、前記プロモーションコンテンツ提供手段６からのレポート解析操作（処理ｉ）によって、解析処理（処理ｊ）が行われ、コンテンツ毎に視聴ユーザ用接続手段８のログ解析を行う。
【００４２】
このとき、前記視聴ログ解析手段１４による解析手順としては、図２に示す如く、複数のストリーミング映像配信サーバ２２からログ（「サーバログファイル」ともいう）４４を受け取り、コンテンツ毎にログを切り分け、マスタログデータベース４６に格納する。この格納時に、ストリーミング映像配信管理手段１０のコンテンツ管理サーバ１６のコンテンツデータベース４８や視聴ログ解析手段１４のユーザ属性データベースからユーザ属性のマッチングを行い、属性提供を付加する。そして、コンテンツ毎に設定した解析ルールに従って中間解析を行い、中間解析用データベース５０にデータを格納し、コンテンツ映像配信システムのレポート作成機能から発行される解析処理を行い、解析結果をレポーティングデータベース５２に格納し、解析時間の短縮を行うものである。
【００４３】
更に、前記ユーザ属性収集手段１２においては、図３に示す如く、前記視聴ユーザ用接続手段８からプロモーションコンテンツ掲載手段３６への接続操作後に、視聴ユーザによってアンケートページ４２のアンケート項目への入力（処理▲１▼）が行われると、このアンケート情報がデータベース、つまりユーザ属性収集手段１２のアンケート管理データベース３４に格納（処理▲２▼）され、映像の再生と再生結果の入力（成功、失敗）（処理▲３▼）の後、所定の再生ソフトのガイドと所得とアンケート情報との関連付け（処理▲４▼）が行われる。
【００４４】
これにより、従来の種々課題を解消し、マーケティング対応ストリーミング映像配信サービスにおける１ファイルマルチポータルの実現やマーケティングに利用できる各種解析レポートの提供、そしてホームページ上でのアンケートを活用した視聴ユーザ情報の提供等を実現することができ、マーケティング対応ストリーミング映像配信サービスを提供することで映像コンテンツのプロモーションを考えている企業のマーケティング活動を支援するという目的を達成できる。
【００４５】
また、プロモーションの効果測定を前提としたストリーミング映像配信サービスであることにより、プロモーションコンテンツを一度登録するだけで、ストリーミング映像配信サーバ２２での映像配信からログ解析、マーケティングデータの生成をワンストップで行い得るとともに、プロモーションコンテンツの登録等は全て専用ＷＥＢ管理画面により簡単に行うことができ、しかも映像配信結果から得られるマーケティングデータ等も専用ＷＥＢ管理画面より簡単に入手できるという優位性を確保し得る。
【００４６】
更に、マーケティング対応ストリーミング映像配信システムは、映像メディアを製作し、多くの消費者に購入してもらう必要がある組織にとって有用なソリューションであるとともに、本システムを使用してプロモーション活動を行うことで、潜在消費者の視聴傾向の分析やプロファイルの分析等を行うことができ、各分析処理の結果のデータを販売戦略を立てたり修正を行うことで、より多くの収益をあげる機会を提供することができる。
【００４７】
更にまた、上述したマーケティング対応ストリーミング映像配信サービスを実現することにより、以下の如き事業内容が可能となるものである。
１）マーケティング対応ストリーミング映像配信システムの開発
２）検証サービスの実施
（１）開発したシステムを用いた検証サービスを行い事業化に必要となる検討項目を洗い出す。
３）マーケティング対応ストリーミング映像配信サービスの事業化
（１）パートナー企業とのビジネスモデルの構築
▲１▼　映像コンテンツのプロモーションを行う企業
▲２▼　各種ポータルサイト
▲３▼　映像配信のインフラをサポートする企業（１次プロバイダ）
▲４▼　大手広告代理店
▲５▼　その他、プロモーション関連企業
（２）ビジネスモデルに関するサポートシステムの開発
▲１▼　パートナー企業間でのデータ映像配信システムの開発
（３）本サービスの開始と運用
▲１▼　運用体制の構築
▲２▼　安定運用の実現
【００４８】
また、マーケティング対応ストリーミング映像配信システムによるサービスを必要とする事業者を、以下の如き需要先として考えることも可能である。
１）直接的なユーザとしては
（１）映画製作会社（映画予告編）
（２）ＴＶ局（番組予告）
（３）各種ビデオコンテンツ販売会社
（４）大手広告代理店（コマーシャルフィルム）
（５）各種映像製作会社
これら（１）〜（５）の業種は映像コンテンツを持っており、常にプロモーション活動を行っている企業である。従来にないより高い精度のプロモーション手法として提案可能である。
２）間接的な需要先として
（１）大手ポータルサイト
（２）大手インターネットサービスプロバイダー
（１）及び（２）は同業者との差別化が求められている。特にストリーミング映像配信はどこでも行っているが、実際の収益をあげるまでの有効なビジネスモデルがみあたらない状況である。本システムを活用することで付加価値が高いサービスを提供できるようになり、新たな収入源として確立させることが可能となる。
なお、本システムの適用範囲は非常に大きく、一般にストリーミング映像配信を行っているサービスには全てに適用できる。従って、もっともニースが高く要求項目がはっきりしている大手企業が需要開拓の最優先の需要先と考えられる。
【００４９】
【発明の効果】
以上詳細な説明から明らかなようにこの発明によれば、映像配信管理手段とユーザ属性収集手段と視聴ログ解析手段とを有する映像配信手段を設け、この映像配信手段の映像配信管理手段に連絡するプロモーションコンテンツ提供手段を設け、前記映像配信手段のユーザ属性収集手段にインターネットのプロモーションコンテンツ掲載手段を介して接続する複数の視聴ユーザ用接続手段を設け、前記視聴ユーザ用接続手段からプロモーションコンテンツ掲載手段への接続操作があった際に、映像配信ログを前記視聴ログ解析手段に転送してコンテンツ毎に視聴ユーザ用接続手段のログ解析を行い、前記視聴ユーザ用接続手段からプロモーションコンテンツ掲載手段への接続操作後に視聴ユーザ用接続手段からプロモーションコンテンツ掲載手段にアンケート回答が入力された際には、アンケートデータを前記ユーザ属性収集手段に転送し、ユーザ属性データを前記映像配信手段の視聴ログ解析手段に転送し、コンテンツ毎に行った視聴ユーザ用接続手段のログ解析データとユーザ属性データとをマッチングさせて所定のマーケティングデータを生成することにより、従来の種々課題を解消し、マーケティング対応映像配信サービスにおける１ファイルマルチポータルの実現やマーケティングに利用できる各種解析レポートの提供、そしてホームページ上でのアンケートを活用した視聴ユーザ情報の提供等を実現することができ、マーケティング対応映像配信サービスを提供することで映像コンテンツのプロモーションを考えている企業のマーケティング活動を支援するという目的を達成できる。また、プロモーションの効果測定を前提とした映像配信サービスであることにより、プロモーションコンテンツを一度登録するだけで、映像配信サーバでの映像配信からログ解析、マーケティングデータの生成をワンストップで行い得るとともに、プロモーションコンテンツの登録等は全て専用ＷＥＢ管理画面により簡単に行うことができ、しかも映像配信結果から得られるマーケティングデータ等も専用ＷＥＢ管理画面より簡単に入手できるという優位性を確保し得る。
【図面の簡単な説明】
【図１】この発明の実施例を示すマーケティング対応ストリーミング映像配信システムの概略構成図である。
【図２】マーケティング対応ストリーミング映像配信システムの視聴ログ解析手段の解析手順を示す図である。
【図３】マーケティング対応ストリーミング映像配信システムのユーザ属性収集手段のフローを示す図である。
【符号の説明】
２　マーケティング対応ストリーミング映像配信システム
４　ストリーミング映像配信手段
６　プロモーションコンテンツ提供手段
８　視聴ユーザ用接続手段
１０　ストリーミング映像配信管理手段
１２　ユーザ属性収集手段
１４　視聴ログ解析手段
１６　コンテンツ管理サーバ
１８　コンテンツデータベース
２０　メディアファイルストレージ
２２　ストリーミング映像配信サーバ
２４　アンケート用ＷＷＷサーバ
２６　アンケート管理データベース
２８　視聴ログ解析サーバ
３０　ログファイルストレージ
３２　視聴ログ解析データベース
３４　ユーザ属性データベース
３６　プロモーションコンテンツ掲載手段
３８　ＷＷＷサーバ
４０　ウェブページ
４２　アンケートページ
４４　ログ（「サーバログファイル」ともいう）
４６　マスタログデータベース
４８　コンテンツデータベース
５０　中間解析用データベース
５２　レポーティングデータベース
【図１】
2004070483.tif 000003
【図２】
2004070483.tif 000004
【図３】
2004070483.tif 000005